(57)【特許請求の範囲】
【請求項１】
主としてセーター等の頭から被ったり脱いだりする着衣において、袖部の縫製部分の脇の一部分を残して袖口から切り込み部を形成し、この切り込み部にオープンファスナーを付け、前記オープンファスナーを付けた袖部の袖口に手首を脱着可能とする長さのリング状の綿テープを取り付け、袖部の脱着時に前記綿テープを手の指に絡ませて袖口の切り込み部を開放可能にすることにより、手の不自由な人が、袖部の着脱を容易にできるようにした衣類。
【発明の詳細な説明】
【技術分野】
【０００１】  本発明は主としてセーター等の頭から被って脱着する着衣において手が不自由でも簡単に脱着出来る着衣に関するものである。
【背景技術】  個人的に私の夫が脳梗塞から後遺症が残り左半身麻痺で洋服の脱着に苦労したのでなるべく自立の方向で今有るもの全てを見直したところ、袖を通して脱着するセーター類に不自由することが分かり、このセーターに着目し、手の不自由な人でも簡単に脱着出来るセーターを考えるようになり、これは袖口を開放してオ−プンァスナーを付けるだけでなく袖口に綿テープをつけることによって、不自由な指の運動にもなるし自分で出来るのがうれしいということから始まり、老人施設、医院、リハビリ関係などを中心に要望があると思います。【０００２】  従来この種のセーター類としては両袖と首まで繋がるセーター本体で頸の横から肩を通って肘までファスナーを通したものがあるが、後部のあたりは見えないし手を用いることが不自由な人には難儀であり、セーターも変形する可能性があった。（特許文献１参照）【０００３】  特にオープンファスナーを両袖に付いている物は、両袖に付けると直線に動かす場合はいいが頸回りの曲線は見えないのでファスナーを進めたり戻したりすることが難しいし、着衣が煩雑である。
【先行技術文献】
【特許文献】
【０００４】
【特許文献１】  特開平９−３７１１号公報
【発明の概要】
【発明が解決しようとする課題】
【０００５】  冬の時期はセーターからトレーナー、肌着など袖を通す着衣を，重ね着をするため何重にもゴロゴロして時間がかかる。【０００６】  セーター類の場合袖と身頃の閉じてある部位ではなく、通常の編み方をしている身頃の部分を切り開くので毛糸がほどける可能性がある。【０００７】  従来の頭から被るセーターは首の後ろから肘まで切り開いたもので、外側からオープンファスナ−が丸見えになるし又左右両袖にもオープンファスナーが付いているが、両方の手が不自由という人より片方の手だけが動きにくい人の方が多いので、両方に付ける必要性は無いし又肩の動きがよりきつくなる。【０００８】  本発明は主として袖部を通して脱着するセーター類において、手が不自由であっても容易に脱いだり、着たりすることができることを目的とするものである。【０００９】  本発明に係る袖部を脱着可能にする着衣は、主としてセーター等の頭から被ったり脱いだりする着衣において、袖部の縫製部分に，その脇の一部分を残して袖口から切り込み部を形成し、この切り込み部にオープンファスナーを付けてなることを特徴とするものである．
【発明の効果】
【００１０】  更に、前記オープンファスナーに付けた袖口に手首が脱着可能とする長さのリング状の綿テープを取り付け脱着時手首の指に絡ませて袖口の切り込みを開放可能とする事を特徴としている。【００１１】  袖口を開放し、かつ綿テープを付けることにより多少不自由であっても物を掴む動作を可能にし、他の動作でも掌を広げて軽い物を置いて安定させることもできる。【００１２】  不自由な手の方にオープンファスナーを付けることにより簡単に脱着ができるし、又袖口に綿テープ２を付けることにより軽く指を置いただけでオープンファスナーを上下させ、速やかに前進することができる。【００１３】  手の不自由な人も簡単に脱着することができることによって、達成感、自立心が持てる。また障害者でも一般の人と同じように服を自分で脱いだり、着たりできればという気持ちを大切にしたいし、今までの洋服はもちろん新しい洋服も作る段階で発注出来ればもっと利用できるし、自由に選ぶこともできる。
【図面の簡単な説明】
【図１】  本発明に係る脱着セーターの装着状態を示す正面図。
【図２】  要部である袖部を解放した裏面側を示す略示図。
【図３】  同じく袖部を円筒状に閉じた状態を示す略示図。
【図４】  袖口１０に設けたリング状の綿テープ２の取り付け状態を示す略示図で（イ）は手の甲６から見た綿テープ２を８の字にしてテープを絡めた状態を、（ロ）は掌側４から見た状況で２本の指に綿テープ２を入れている状態、（ハ）は掌５からオープンファスナー３の金具を押さえてあげたり下げたりしている状態を示すものである。
【発明を実施するための形態】
【００１４】  本発明に係る着衣は、図１に示すようにセーター本体１の両脇に形成される袖部７を備えたセーターにおいて、少なくともその一方の袖部７には、その縫製部分にその部分を残して脇から袖口１０に向かって切り込みの袖部７に形成し、この切り込み部にオープンファスナー３を付けてなるものである
【００１５】  オープンファスナー３の付ける位置は図２及び図３に示すように、縫い止まり９から袖口１０まで取り付けられ、即ち袖部７の脇、オープンファスナーの縫い止まり９から袖口１０まで設けられる。
【００１６】  セーター１を着るときの順序は、図４に示すようにオープンファスナー３を閉じた状態にして、セーターの裾のゴム編み部分４から不自由な手を先に袖を通し、頭を通し、利き手の順に通して、両肩と身頃を整え楽に着ることができる。
【００１７】  セーター１を脱ぐときは  利き手で胸までセーター１を持ち上げ利き手の方から先に脱ぐ時は、不自由な手で綿テープ２を利用して利き手の袖口１０の裾を掴んで引っ張り抜き、後は顔から頭へと利き手を抜く順序で脱ぐことができ，このように着る時も脱ぐときも不自由な手を回した時点で物をつかんだり、引っ張ったりする時は綿テープ２が付いていると容易にできる。
【００１８】  綿テープ２を利用するのはどのような指でも自由自在になるし自分の状態に合った方法で考えたりしていくと結構楽しいし、手軽である。
【００１９】  綿テープ２は伸びたり縮んだりしないし、幅が広いので指に食い込む事がないという利点があり、必要がない時はセーターの中にしまえる。
【００２０】  綿テープ２の使い方、オープンファスナー３を開放するには、不自由な方の手で袖口１０のゴム編み４の部分を綿テープ２を付けた不自由な指で袖口１０を押さえて利き手でオープンファスナー止まり９から袖口１０まで引き下げ、勢いで進むと金具が外れオープンし、閉めるときは袖口１０を綿テープ２を付けた不自由な手で押さえて利き手で金具をはめて引き上げると簡単に袖の開け閉めができ、病院での検査、注射、血圧などにも時間がかからないので便利である。
【００２１】  袖口１０にリング状の綿テープ２を付けるにはオープンファスナー止まり９から袖下のゴム編み部分４の先端まで揃えてミシンを掛け、オープンファスナー３のミシン目に沿ってオープンファスナー３の淵をかがる８と布地に引っかからない。
【００２２】  手の甲の上で８の字を描くようにするのは、指の握力の弱さを補充することと、指が固い時など指を伸ばすには綿テープ２が役立つし、物を掴む時綿テープ２に緩みが出たりした場合指が揃わないとできないので、目的に合った長さにするために手の甲６の上で８の字にした綿テープが必要になり、その点綿テープ２は自由自在にでき便利である。
【００２３】  頭から被るセーター１は本発明に係る着衣は１図に示すように不自由な方の袖の動作をしやすくし内側にオープンファスナー３を付けていると着やすく，かつ動作をしやすくするように、普通のセーターと変わらない正面図である。
【符号の説明】  １  セーター
２  リング状の綿テープ
３  オープンファスナー
４  セーターの頸回りと袖口と裾に設けられるゴム編み部分
５  掌
６  手の甲
７  袖部
８  かがり
９  ファスナー  止まり
１０  袖口
【要約】      （修正有）【課題】手の不自由な人でも容易に脱着出来るセーターを提供する。【解決手段】セーター１などの着衣において袖部の内側に閉じてある縫製部分にその脇の一部を残して、オープンファスナー３を付ける袖部を脱着可能な着衣である。袖口１０に綿テープ２を付けてみると、綿テープ２を使うことにより一層早く着脱が出来、細かな部分もできるし、指で押さえることも可能で，すぼめる手を広げる運動になりリハビリにも、なる。【選択図】図１【図１】
0005605874.tif 000002
【図２】
0005605874.tif 000003
【図３】
0005605874.tif 000004
【図４】
0005605874.tif 000005